(57)【要約】【課題】サイディングなどの建材から正確にマーキングが施されたプレカット品を得ることが可能なプレカット装置およびプレカット方法の提供。【解決手段】建材Ｔが載置されて搬送される搬送テーブル２と、搬送テーブル２上の建材Ｔを切断するクロスカット装置３と、建材Ｔをクロスカット装置３による切断位置まで搬送テーブル２上で位置決めしつつ搬送するサーボ定規４と、サーボ定規４により搬送される建材Ｔに搬送テーブル２の下からマーキングを行うマーキング装置５とを有する。【選択図】図１
2011224930.tif 000002
【特許請求の範囲】
【請求項１】
建材が載置されて搬送される搬送テーブルと、
前記搬送テーブル上の建材を切断する切断装置と、
前記建材を前記切断装置による切断位置まで前記搬送テーブル上で位置決めしつつ搬送する位置決め装置と、
前記位置決め装置により搬送される建材に前記搬送テーブルの下からマーキングを行うマーキング装置と
を含むプレカット装置。
【請求項２】
前記位置決め装置は、一方向に移動して前記建材を前記切断位置まで押し動かす定規である請求項１記載のプレカット装置。
【請求項３】
前記マーキング装置は、前記位置決め装置の移動方向に対して直交する方向に移動してマーキングするものである請求項１または２に記載のプレカット装置。
【請求項４】
前記マーキング装置は、前記建材からプレカットされるプレカット品を識別するための識別情報とともに、前記プレカット品を現場加工するための罫書き線をマーキングするものである請求項１から３のいずれかに記載のプレカット装置。
【請求項５】
搬送テーブル上に載置されて搬送される建材を、切断装置による切断位置まで位置決め装置により搬送テーブル上で位置決めしつつ搬送すること、
前記位置決め装置により搬送される建材に前記搬送テーブルの下からマーキング装置によりマーキングを行うこと、
前記位置決め装置により位置決めされた前記搬送テーブル上の建材を切断すること
を含むプレカット方法。
【発明の詳細な説明】
【技術分野】
【０００１】
本発明は、サイディングなどの建材をプレカットするプレカット装置およびプレカット方法に関する。
【背景技術】
【０００２】
住宅の外壁材としてサイディングが多く用いられている。サイディングは、外壁に張る乾式の板状の外装材の総称であり、セメント（窯業）系、セラミック系、金属系や合成樹脂系など多くの種類がある。サイディングはデザインが豊富で、比較的安価なため、多くの住宅の外壁として使用されている。ところが、サイディングは産業廃棄物に指定されており、建築現場で残材が発生した場合には、このサイディングの残材処理費が必要となる。そこで、本出願人は、建築現場での残材を少なくするため、サイディングのプレカット化を推進している。
【０００３】
ところで、従来、木造住宅の建築において合板製のパネル部材をプレカットする技術としては、例えば特許文献１に記載のものが知られている。特許文献１に記載の建築用パネル部材加工システムは、規格寸法パネルを所望の長さ、形状のパネル部材に切断したり、切欠を加工したりするための加工ヘッドを備えたパネル材切断加工装置を備えたものである。また、このパネル材切断加工装置とは別に、パネル材の表面に所定の文字や記号をマーキングするためのマーキングヘッドを備えた大型のＸＹプロッタのようなパネル材マーキング装置を備えている。
【０００４】
この建築用パネル部材加工システムでは、最初にマーキング装置に対して規格寸法パネルを投入し、当該規格寸法パネルの原点位置をマーキング装置の原点位置に合わせてセッティングを行い、マーキング装置のマーキングヘッドをＸＹ方向に駆動して部材番号および配置情報を規格寸法パネルの表面にマーキングしていく。次に、こうしてマーキング処理が終了した規格寸法パネルをパネル材プレカット装置に移し替え、切断および切欠加工を行う。
【０００５】
また、特許文献２には、建築される邸毎に、その邸の建材をプレカットするために作成されたＣＡＤデータを保存し、複数邸分のＣＡＤデータを一括してから、各邸に使用する建材を、コンピュータ上のストックヤードに登録された材料に所定の順に割り付け、割り付けに基づいてプレカット装置によりプレカットするプレカットシステムが記載されている。また、このプレカットシステムは、プレカット後の各製品に、建材識別コードと保管場所コードとを印刷するインクジェットプリンタ等の印刷装置を備えている。
【先行技術文献】
【特許文献】
【０００６】
【特許文献１】特開平１１−２２２９７１号公報
【特許文献２】特開２００１−３２３６５８号公報
【発明の概要】
【発明が解決しようとする課題】
【０００７】
ところが、特許文献１に記載のシステムの場合、マーキング装置からプレカット装置に移し替える作業が必要であり、移し替え時にパネル材の順番や配置を誤らないようにしなければならない。パネル材の順番や配置を誤ると、マーキングされた部材番号および配置情報とプレカットされた部材とが異なることになり、正常に建築物が建築できなくなる。特に、マーキング処理が終了した後にパネルに不具合が発見された場合には、そのパネルの入れ替えや、プレカット装置での加工順序の変更等を注意深く行う必要があり、非常に煩雑な作業を伴う。
【０００８】
また、特許文献２に記載のシステムについても、特許文献１と同様に、プレカット処理後のプレカット品を印刷装置に移し替える作業が必要であり、誤りのないように注意深く作業する必要がある。また、プレカット処理後のプレカット品はその形状が様々に異なっており、このように形状が異なるプレカット品を正確な位置および姿勢に保持して正しく印刷処理を行うことは困難である。
【０００９】
そこで、本発明においては、サイディングなどの建材から正確にマーキングが施されたプレカット品を得ることが可能なプレカット装置およびプレカット方法を提供することを目的とする。
【課題を解決するための手段】
【００１０】
本発明のプレカット装置は、建材が載置されて搬送される搬送テーブルと、搬送テーブル上の建材を切断する切断装置と、建材を切断装置による切断位置まで搬送テーブル上で位置決めしつつ搬送する位置決め装置と、位置決め装置により搬送される建材に搬送テーブルの下からマーキングを行うマーキング装置とを含むものである。
【００１１】
また、本発明のプレカット方法は、搬送テーブル上に載置されて搬送される建材を、切断装置による切断位置まで位置決め装置により搬送テーブル上で位置決めしつつ搬送すること、位置決め装置により搬送される建材に搬送テーブルの下からマーキング装置によりマーキングを行うこと、位置決め装置により位置決めされた搬送テーブル上の建材を切断することを含むことを特徴とする。
【００１２】
これらの発明によれば、建材を切断装置による切断位置まで位置決め装置により搬送テーブル上で位置決めしつつ搬送する際、搬送テーブルの下からマーキング装置によりマーキングを行い、この搬送テーブル上で切断装置により切断するので、マーキングの内容とプレカット品とは必ず一致する。
【００１３】
ここで、位置決め装置は、一方向に移動して建材を切断位置まで押し動かす定規であることが望ましい。これにより、定規を一方向に移動させるという簡単な機構で、建材を切断位置まで押し動かして、建材を切断装置による切断位置まで搬送テーブル上で位置決めしつつ搬送することができる。
【００１４】
また、マーキング装置は、位置決め装置の移動方向に対して直交する方向に移動してマーキングするものであることが望ましい。これにより、マーキング装置を位置決め装置の移動と連動させて直交する方向に移動させるだけで、搬送テーブルの平面内で自在にマーキングすることができる。
【００１５】
また、マーキング装置は、建材からプレカットされるプレカット品を識別するための識別情報とともに、プレカット品を現場加工するための罫書き線をマーキングするものであることが望ましい。これにより、プレカットだけでは対応できず、現場加工が必要なプレカット品であっても、プレカット品の識別情報とともに現場加工のための罫書き線がマーキングされているため、現場ではこの罫書き線に従って容易に加工することが可能となる。
【発明の効果】
【００１６】
（１）搬送テーブル上に載置されて搬送される建材を、切断装置による切断位置まで位置決め装置により搬送テーブル上で位置決めしつつ搬送し、位置決め装置により搬送される建材に搬送テーブルの下からマーキング装置によりマーキングを行い、位置決め装置により位置決めされた搬送テーブル上の建材を切断する構成により、マーキングの内容とプレカット品とは必ず一致し、建材から正確にマーキングが施されたプレカット品を得ることが可能となる。
【００１７】
（２）位置決め装置が一方向に移動して建材を切断位置まで押し動かす定規であることにより、定規を一方向に移動させるという簡単な機構で、建材を切断位置まで押し動かして、建材を切断装置による切断位置まで搬送テーブル上で位置決めしつつ搬送することが可能となるため、低廉なプレカット装置を実現できる。
【００１８】
（３）マーキング装置が位置決め装置の移動方向に対して直交する方向に移動してマーキングするものであることにより、マーキング装置を簡単な移動機構により移動させて自在なマーキングを行うことが可能となるため、低廉なプレカット装置を実現できる。
【００１９】
（４）マーキング装置が建材からプレカットされるプレカット品を識別するための識別情報とともに、プレカット品を現場加工するための罫書き線をマーキングするものであることにより、プレカットだけでは対応できず、現場加工が必要なプレカット品であっても、上記のように正確にマーキングが施されたプレカット品を罫書き線に従って正確かつ容易に現場加工することが可能となる。
【図面の簡単な説明】
【００２０】
【図１】本発明の実施の形態におけるプレカット装置の平面図である。
【図２】図１のプレカット装置により製造されたプレカット品の斜視図である。
【図３】図２のプレカット品を裏面からみた平面図である。
【発明を実施するための形態】
【００２１】
図１は本発明の実施の形態におけるプレカット装置の平面図、図２は図１のプレカット装置により製造されたプレカット品の斜視図、図３は図２のプレカット品を裏面からみた平面図である。
【００２２】
図１において、本発明の実施の形態におけるプレカット装置１は、建材Ｔが載置されて搬送される搬送テーブル２と、搬送テーブル上の建材Ｔを切断する切断装置としてのクロスカット装置３と、建材Ｔをクロスカット装置３による切断位置まで搬送テーブル２上で位置決めしつつ搬送する位置決め装置としてのサーボ定規４と、サーボ定規４により搬送される建材Ｔに搬送テーブル２の下からマーキングを行うマーキング装置５とを有する。
【００２３】
また、このプレカット装置１は、搬送テーブル２上へ投入する建材Ｔを載置するテーブル６と、テーブル６上に載置された建材Ｔを搬送テーブル２上へ移動するための移動装置としてのローラコンベア７と、建材Ｔから製造されたプレカット品Ｐ（図２参照。）を搬送テーブル２上から押し出す押し出し装置８と、製造後のプレカット品Ｐを載置するテーブル９とを有する。
【００２４】
搬送テーブル２には、建材Ｔの左右方向（サーボ定規４の移動方向に対して直交する方向、以下同じ。）の移動を規制するガイドローラ２０が設けられている。マーキング装置５は、この搬送テーブル２の下に設けられており、サーボ定規４の移動方向に対して直交する方向に移動しながらマーキングするようになっている。サーボ定規４は、一方向（本実施形態においては水平方向）に移動して建材Ｔを切断位置まで押し動かす定規である。本実施形態においては、サーバ定規４はサーボモータにより駆動されるものであり、正確に位置決めすることが可能となっている。
【００２５】
マーキング装置５は、別途ＣＡＤ等により作成されたＣＡＤデータに基づいて建材Ｔからプレカットされるプレカット品Ｐを識別するための識別情報Ｃ（図２、図３参照。）およびプレカット品Ｐを現場加工するための罫書き線Ｌ（図２、図３参照。）を、インクジェットやレーザ等により建材Ｔにマーキングするものである。マーキング装置５は、上記サーボ定規４と連動して移動することで、搬送テーブル２の平面内で自在にマーキングすることが可能となっている。
【００２６】
上記構成のプレカット装置１では、建材Ｔをプレカットするために別途ＣＡＤ等により作成されたＣＡＤデータに基づいて、クロスカット装置３、サーボ定規４およびマーキング装置５が自動制御される。建材Ｔはテーブル６からローラコンベア７により搬送テーブル２上へ投入され、サーボ定規４によりクロスカット装置３の切断位置まで一方向に押し動かされる。
【００２７】
このとき、マーキング装置５はサーボ定規４の移動と連動して左右方向に移動することで、図２および図３に示すように建材Ｔ（プレカット品Ｐ）の裏面に搬送テーブル２の下側から識別情報Ｃおよび罫書き線Ｌをマーキングする。クロスカット装置３は、ＣＡＤデータに基づいて建材Ｔを切断加工し、プレカット品Ｐを製造する。製造後のプレカット品Ｐは押し出し装置８により搬送テーブル２上から押し出される。
【００２８】
以上のように、本実施形態におけるプレカット装置１では、建材Ｔをクロスカット装置３による切断位置までサーボ定規４により搬送テーブル２上で位置決めしつつ搬送する際、搬送テーブル２の下からマーキング装置５によりマーキングを行い、この搬送テーブル２上でクロスカット装置３により切断するので、マーキングの内容とプレカット品Ｐとは必ず一致し、建材Ｔから正確にマーキングが施されたプレカット品Ｐが得られる。
【００２９】
特に、このプレカット装置１では、サーボ定規４を一方向に移動させるという簡単な機構で、建材Ｔをクロスカット装置３による切断位置まで搬送テーブル２上で位置決めしつつ搬送し、識別情報Ｃおよび罫書き線Ｌのマーキングと切断加工との両方を行うことができるので、低廉な装置を実現できている。
【００３０】
また、マーキング装置５についても、サーボ定規４の移動方向に対して直交する方向に移動してマーキングするものとし、マーキング装置５をサーボ定規４の移動と連動させて直交する方向に移動させるだけで、搬送テーブル２の平面内で自在にマーキングすることを可能としており、低廉な装置を実現できている。
【００３１】
また、このプレカット装置１により製造されたプレカット品Ｐは、識別情報Ｃとともに、プレカット品Ｐを現場加工するための罫書き線Ｌがマーキングされている。したがって、プレカットだけでは対応できず、現場加工が必要なプレカット品Ｐであっても、プレカット品Ｐの識別情報Ｃとともに現場加工のための罫書き線Ｌがマーキングされているため、この罫書き線Ｌに従って正確かつ容易に現場加工することが可能である。
【産業上の利用可能性】
【００３２】
本発明のプレカット装置およびプレカット方法は、サイディング等の外装材の他、柱、土台や桁等の構造材、野地材や床材等の合板材等の建材のプレカットに有用である。
【符号の説明】
【００３３】
１  プレカット装置
２  搬送テーブル
３  クロスカット装置
４  サーボ定規
５  マーキング装置
６，９  テーブル
７  ローラコンベア
８  押し出し装置
【図１】
2011224930.tif 000003
【図２】
2011224930.tif 000004
【図３】
2011224930.tif 000005